(57)【要約】【課題】ポート間隔の設計の制限を緩和することができ、容易に小型化することができる波長合分波器及び光モジュールを提供する。【解決手段】波長合分波器１００には、反射部材１０１と、反射部材１０１に設けられたポート１０２と、反射部材１０１にポート１０２から離間して設けられた複数のポート１０３−１〜１０３−ｍと、ポート１０２とポート１０３−１〜１０３−ｍとの間の光の経路上の光学フィルタ１０４と、が含まれる。反射部材１０１に光学フィルタ１０４に対して傾斜した複数の反射面１０５−１〜１０５−ｎが形成されている。反射面１０５−１〜１０５−ｎにおける反射点の光学フィルタ１０４からの距離は、当該反射面における反射角が大きいものほど小さく、ポート１０３−１〜１０３−ｍの各々は、１０５−１〜１０５−ｎの各々で反射される光の経路に位置する。【選択図】図１
2017090766.tif 000002
【特許請求の範囲】
【請求項１】
反射部材と、
前記反射部材に設けられた第１のポートと、
前記反射部材に前記第１のポートから離間して設けられた複数の第２のポートと、
前記第１のポートと前記複数の第２のポートとの間の光の経路上の光学フィルタと、
を有し、
前記反射部材に前記光学フィルタに対して傾斜した複数の反射面が形成され、
前記複数の反射面における反射点の前記光学フィルタからの距離は、当該反射面における反射角が大きいものほど小さく、
前記複数の第２のポートの各々は、前記複数の反射面の各々で反射される光の経路に位置することを特徴とする波長合分波器。
【請求項２】
前記複数の反射面の前記光学フィルタに対する傾斜角度は一定であることを特徴とする請求項１に記載の波長合分波器。
【請求項３】
前記第１のポートから離間するほど、
前記複数の反射面における反射点の前記光学フィルタからの距離が小さく、
前記複数の反射面における反射角が大きいことを特徴とする請求項１又は２に記載の波長合分波器。
【請求項４】
前記第１のポートから離間するほど、
前記複数の反射面における反射点の前記光学フィルタからの距離が大きく、
前記複数の反射面における反射角が小さいことを特徴とする請求項１又は２に記載の波長合分波器。
【請求項５】
請求項１乃至４のいずれか１項に記載の波長合分波器と、
前記複数の第２のポートとの間で光信号の送受信を行う複数の光素子を備えた光回路基板と、
を有することを特徴とする光モジュール。
【発明の詳細な説明】
【技術分野】
【０００１】
本発明は、波長合分波器及び光モジュールに関する。
【背景技術】
【０００２】
波長多重変調通信（wavelength division multiplex：ＷＤＭ）に波長合分波器が用いられている。波長合分波器は、波長が異なる複数の光信号を合波したり、合波された複数の光信号を波長毎に分波したりする。そして、波長合分波器の構造として種々のものが提案されている。
【０００３】
特許文献１及び２には、光学フィルタの透過及び反射を利用した波長合分波器が記載されている。しかし、この方式の波長合分波器には、（ＷＤＭの波長数−１）種類の光学フィルタが必要であり、部品点数が多くなる。また、光部品の実装及び組立てには高い精度が求められるため、部品点数が多いことは製造が難しくなることに繋がる。
【０００４】
特許文献３及び４には、光が光学フィルタに対して斜めに入射すると、フィルタの動作波長が短波長にシフト（ブルーシフト）する性質を利用した波長合分波器が記載されている。この波長合分波器によれば、光学フィルタは１種類のみですむ。１種類の光学フィルタで波長を選択するためには、光学フィルタへの入射角を変える必要があるが、このような入射角の調整は、互いに非平行の反射面の間を複数回反射させることで実現できる。すなわち、２つの反射面の間の角度がθである場合、この間を反射するごとに、２θだけ角度が増加又は減少するため、これを利用して入射角を段階的に増加又は減少させることができる。特許文献３に記載の波長合分波器では、反射面及び光学フィルタから構成されるテーパーを反射することで、入射角を段階的に増加させている。
【０００５】
しかしながら、ブルーシフトを利用した従来の波長合分波器では、入射角の段階的な変化に付随して個別波長側のポートの間隔も段階的に変化する。このため、個別波長側のポートを等間隔にすることができない。このように、ブルーシフトを利用した従来の波長合分波器は、設計の自由度が低く、使いにくい。更に、入射角が大きくなるにしたがって、ポートの間隔が大きくなるため、小型化が困難である。
【先行技術文献】
【特許文献】
【０００６】
【特許文献１】特開２００２−１６９０５４号公報
【特許文献２】特開２０１４−１８２２２４号公報
【特許文献３】特開平１０−３３５６９３号公報
【特許文献４】特開２００２−７２０１０号公報
【特許文献５】特開昭６１−２８５４１３号公報
【特許文献６】特開２０００−２８８５１号公報
【発明の概要】
【発明が解決しようとする課題】
【０００７】
本発明の目的は、ポート間隔の設計の制限を緩和することができ、容易に小型化することができる波長合分波器及び光モジュールを提供することにある。
【課題を解決するための手段】
【０００８】
１つの態様では、波長合分波器は、反射部材と、前記反射部材に設けられた第１のポートと、前記反射部材に前記第１のポートから離間して設けられた複数の第２のポートと、前記第１のポートと前記複数の第２のポートとの間の光の経路上の光学フィルタとを、有する。前記反射部材に前記光学フィルタに対して傾斜した複数の反射面が形成されている。前記複数の反射面における反射点の前記光学フィルタからの距離は、当該反射面における反射角が大きいものほど小さく、前記複数の第２のポートの各々は、前記複数の反射面の各々で反射される光の経路に位置する。
【０００９】
１つの態様では、光モジュールは、上記の波長合分波器と、前記複数の第２のポートとの間で光信号の送受信を行う複数の光素子を備えた光回路基板と、を有する。
【発明の効果】
【００１０】
１つの側面として、反射部材の適切な位置に反射面が形成されているため、ポート間隔の設計の制限を緩和することができ、容易に波長合分波器や光モジュールの小型化を実現することができる。
【図面の簡単な説明】
【００１１】
【図１】第１の実施形態に係る波長合分波器の構成を示す斜視図である。
【図２】第１の実施形態に係る波長合分波器の構成を示す断面図である。
【図３】第１の実施形態に係る波長合分波器の構成を示す分解斜視図である。
【図４】反射面の光学フィルタに対する傾斜角度と光の経路との関係を示す模式図である。
【図５】２種類の波長合分波器内の光の経路を示す模式図である。
【図６】合分波する波長の種類の数と距離Ｌとの関係を示す図である。
【図７】第２の実施形態に係る波長合分波器の構成を示す斜視図である。
【図８】第２の実施形態に係る波長合分波器の構成を示す断面図である。
【図９】第１の実施形態の第１の具体例を示す模式図である。
【図１０】第１の実施形態の第２の具体例を示す模式図である。
【図１１】第３の実施形態に係る波長合分波器の構成を示す斜視図である。
【図１２】第３の実施形態に係る波長合分波器の構成を示す断面図である。
【発明を実施するための形態】
【００１２】
以下、実施形態について添付の図面を参照しながら具体的に説明する。
【００１３】
（第１の実施形態）
先ず、第１の実施形態について説明する。図１は、第１の実施形態に係る波長合分波器の構成を示す斜視図であり、図２は、第１の実施形態に係る波長合分波器の構成を示す断面図である。
【００１４】
第１の実施形態に係る波長合分波器１００には、図１及び図２に示すように、反射部材１０１、反射部材１０１に設けられたポート１０２、及び反射部材１０１にポート１０２から離間して設けられたｍ個のポート１０３−１〜１０３−ｍが含まれる。例えば、ポート１０２にレンズ１０６が設けられ、ポート１０３−１〜１０３−ｍにレンズ１０７−１〜１０７−ｍが設けられている。ｍは２以上の整数であり、第１の実施形態では４である。波長合分波器１００には、ポート１０２とポート１０３−１〜１０３−ｍとの間の光の経路上の光学フィルタ１０４も含まれる。光学フィルタ１０４を透過する光の波長は、青方偏移（ブルーシフト）により、入射角が大きいほど短い。反射部材１０１には、ポート１０２と光学フィルタ１０４との間で光を反射させる入出力反射面１０５−０、及び、光学フィルタ１０４に対して傾斜し、かつ光学フィルタ１０４からの距離が相違するｎ個の反射面１０５−１〜１０５−ｎが形成されている。ｎは１以上の整数であり、第１の実施形態では３である。
【００１５】
例えば、反射面１０５−１〜１０５−３の光学フィルタ１０４に対する傾斜角度は一定である。また、例えば、ポート１０２から離間するほど、反射面１０５−１〜１０５−３における反射点の光学フィルタ１０４からの距離が小さく、反射面１０５−１〜１０５−３における反射角が大きい。ポート１０３−１〜１０３−４の各々は、反射面１０５−０〜１０５−３の各々で反射される光の経路に位置する。図３に示すように、反射部材１０１に主部１０１ａ及びフィルタ支持部１０１ｂが含まれ、光学フィルタ１０４は主部１０１ａとフィルタ支持部１０１ｂとの間に挟まれている。光学フィルタ１０４としては、例えば誘電体多層膜フィルタが用いられる。誘電体多層膜フィルタは波長に対して急峻な選択比を有する。第１の実施形態において、ポート１０２は第１のポートの一例であり、ポート１０３−１〜１０３−ｍは第２のポートの一例である。
【００１６】
ポート１０２に光ファイバ１０が繋がれ、ポート１０３−１〜１０３−ｍに対向するようにして光回路基板２０が配置される。光回路基板２０には、ポート１０３−１〜１０３−ｍとの間で光信号の送信又は受信（送受信）を行うｍ個の光素子２１−１〜２１−ｍが含まれる。光素子２１−１〜２１−ｍは、例えばレーザダイオード（ＬＤ）、フォトダイオード（ＰＤ）、ミラー、グレーティングなどである。
【００１７】
次に、第１の実施形態に係る波長合分波器１００の動作の一例について説明する。この一例では、光素子２１−１〜２１−ｍが受光素子であり、波長合分波器１００が波長分波を行う。この場合、光ファイバ１０から出射された光がポート１０２のレンズ１０６で平行ビームに変換される。この光は入出力反射面１０５−０で反射され、光学フィルタ１０４に入射する。この光が光学フィルタ１０４に入射すると、その入射角に応じた波長の光のみが光学フィルタ１０４を透過し、ポート１０３−１に到達し、レンズ１０７−１を介して光素子２１−１に集束する。光学フィルタ１０４を透過しない波長の光は光学フィルタ１０４により反射され、更に反射面１０５−１で反射される。反射面１０５−１が光学フィルタ１０４に対して傾斜しているため、反射面１０５−１で反射された光は入出力反射面１０５−０で反射された光とは異なる入射角で光学フィルタ１０４に入射する。この光が光学フィルタ１０４に入射すると、その入射角に応じた波長の光のみが光学フィルタ１０４を透過し、ポート１０３−２に到達し、レンズ１０７−２を介して光素子２１−２に集束する。このような反射及び透過の繰り返しにより、光素子２１−３及び光素子２１−４にも特定の波長の光が集束する。このようにして波長分波が行われる。
【００１８】
次に、第１の実施形態に係る波長合分波器１００の動作の他の一例について説明する。この一例では、光素子２１−１〜２１−ｍが発光素子であり、波長合分波器１００が波長合波を行う。この場合、光素子２１−１が発した特定の波長の光はポート１０３−１のレンズ１０７−１で平行ビームに変換される。この光は光学フィルタ１０４を透過し、入出力反射面１０５−０１で反射され、ポート１０２に到達する。光素子２１−２が発した特定の波長の光はポート１０３−２のレンズ１０７−２で平行ビームに変換される。この光は光学フィルタ１０４を透過し、反射面１０５−１で反射され、光学フィルタ１０４に入射する。波長及び入射角の関係上、この光は光学フィルタ１０４で反射され、更に入出力反射面１０５−０で反射され、ポート１０２に到達する。光素子２１−３が発した特定の波長の光及び光素子２１−４が発した特定の波長の光もこのような透過及び反射の繰り返しにより、ポート１０２に到達する。そして、これら４種の波長の光がレンズ１０６によって光ファイバ１０に集束する。このようにして波長合波が行われる。
【００１９】
次に、反射面の光学フィルタに対する傾斜角度について説明する。図４は、反射面の光学フィルタに対する傾斜角度と光の経路との関係を示す模式図である。
【００２０】
ここでは、入射角φ1で光学フィルタ５４上の点Ａに入射した光がそこで反射され、反射面５５上の反射点Ｘで反射され、入射角φ2で光学フィルタ５４上の点Ｂに入射するものとする。この場合、反射面５５の光学フィルタ５４に対する傾斜角度がθ、反射点Ｘと光学フィルタ５４との距離をＨ、点Ａと点Ｂとの距離をＰとすると、幾何学的に次の関係が成り立つ。
Ｈ＝Ｐ／（ｔａｎφ１＋ｔａｎφ２）
＝Ｐ／（ｔａｎφ１＋ｔａｎ（φ１＋２θ））
【００２１】
従って、傾斜角度θ及び光学フィルタ５４上の入射点間の距離Ｐが固定されている場合、光素子が送受信する光信号の波長に応じてこれらが透過する光学フィルタ５４への入射角φ１を特定すれば、反射点Ｘと光学フィルタ５４との距離を決定できる。
【００２２】
反射面１０５−０〜１０５−ｎの構造は、例えば、光学フィルタ１０４のブルーシフトを考慮したこのような光線追跡シミュレーションにより設計することができる。光素子２１−１〜２１−ｍの入射角又は出射角は、光学フィルタ１０４を透過する光の角度に必ずしも一致しないが、図３に示すように、レンズ１０７−１〜１０７−ｍにより、これらの間の関係を調整することができる。従って、レンズ１０７−１〜１０７−ｍの構造は、光素子２１−１〜２１−ｍの位置を考慮して設計される。光素子２１−１〜２１−ｍのピッチの設定は自由であり、一定ピッチとすることができる。光素子２１−１〜２１−ｍのピッチは一定でなくてもよい。
【００２３】
次に、複数の反射面の光学フィルタからの距離が当該反射面における反射角が大きいものほど小さいことにより得られる効果について説明する。図５は、２種類の波長合分波器内の光の経路を示す模式図である。図５には、光学フィルタで反射される光の経路のみを示してある。
【００２４】
第１の実施形態のように、複数の反射面の光学フィルタ４からの距離が当該反射面における反射角が大きいものほど小さい場合、図５（ａ）に示すように、光学フィルタ４上の入射点間の距離を実質的に一定にすることができる。一方、特許文献３に記載された波長合分波器のように単一の反射面のみが設けられた参考例では、図５（ｂ）に示すように、反射面での反射角が大きくなるほど、光学フィルタ４上の入射点間の距離が必然的に大きくなる。そして、このような傾向は光信号に含まれる波長の種類の数が多いほど、つまり合分波する波長の種類の数が多いほど顕著である。
【００２５】
合分波する波長の種類の数と、光学フィルタ上の最初の入射点から最後の入射点までの距離Ｌとの関係を図６に示す。図６（ａ）には、傾斜角度θが１°の場合の関係を示し、図６（ｂ）には、傾斜角度が２．５°の場合の関係を示す。図６の縦軸には、図５（ａ）に示す第１の実施形態に倣った構造における距離Ｌを１．０としたときの値を示してある。図６に示すように、第１の実施形態によれば、単一の反射面のみが設けられている参考例と比較して、傾斜角度θが１°、２．５°のいずれであっても、４波長の場合に距離Ｌを約１／２まで小さくすることができる。また、８波長の場合には、傾斜角度θが１°のときには約１／４まで小さくすることができ、傾斜角度θが２．５°のときには約１／９まで小さくすることができる。
【００２６】
第１の実施形態によれば、光学フィルタ１０４の光が透過する点の位置を容易に調節することができ、ポート１０３−１〜１０３−ｍの間隔も容易に調整することができる。従って、設計の制限を緩和することができ、小型化が容易である。例えば、光素子２１−１〜２１−ｍの間隔及びポート１０３−１〜１０３−ｍの間隔を均一にすることができる。また、反射面１０５−０〜１０５−ｎの段差は樹脂成型等により高精度で形成することができる。
【００２７】
（第２の実施形態）
次に、第２の実施形態について説明する。図７は、第２の実施形態に係る波長合分波器の構成を示す斜視図であり、図８は、第２の実施形態に係る波長合分波器の構成を示す断面図である。
【００２８】
第２の実施形態に係る波長合分波器２００には、図７及び図８に示すように、反射部材２０１、反射部材２０１に設けられたポート２０２、及び反射部材２０１にポート２０２から離間して設けられたｍ個のポート２０３−１〜２０３−ｍが含まれる。例えば、ポート２０２にレンズ２０６が設けられ、ポート２０３−１〜２０３−ｍにレンズ２０７−１〜２０７−ｍが設けられている。ｍは２以上の整数であり、第２の実施形態では４である。波長合分波器２００には、ポート２０２とポート２０３−１〜２０３−ｍとの間の光の経路上の光学フィルタ２０４も含まれる。光学フィルタ２０４を透過する光の波長は、青方偏移（ブルーシフト）により、入射角が大きいほど短い。反射部材２０１には、ポート２０２と光学フィルタ２０４との間で光を反射させる入出力反射面２０５−０、及び、光学フィルタ２０４に対して傾斜し、かつ光学フィルタ２０４からの距離が相違するｎ個の反射面２０５−１〜２０５−ｎが形成されている。ｎは１以上の整数であり、第２の実施形態では３である。
【００２９】
例えば、反射面２０５−１〜２０５−３の光学フィルタ２０４に対する傾斜角度は一定である。また、例えば、ポート２０２から離間するほど、反射面２０５−１〜２０５−３における反射点の光学フィルタ２０４からの距離が大きく、反射面２０５−１〜２０５−３における反射角が小さい。ポート２０３−１〜２０３−４の各々は、反射面２０５−０〜２０５−３の各々で反射される光の経路に位置する。反射部材２０１に主部２０１ａ及びフィルタ支持部２０１ｂが含まれ、光学フィルタ２０４は主部２０１ａとフィルタ支持部２０１ｂとの間に挟まれている。光学フィルタ２０４としては、例えば誘電体多層膜フィルタが用いられる。誘電体多層膜フィルタは波長に対して急峻な選択比を有する。第２の実施形態において、ポート２０２は第１のポートの一例であり、ポート２０３−１〜２０３−ｍは第２のポートの一例である。
【００３０】
第１の実施形態と同様に、ポート２０２に光ファイバ１０が繋がれ、ポート２０３−１〜２０３−ｍに対向するようにして光回路基板２０が配置される。
【００３１】
次に、第２の実施形態に係る波長合分波器２００の動作の一例について説明する。この一例では、光素子２１−１〜２１−ｍが受光素子であり、波長合分波器２００が波長分波を行う。この場合、光ファイバ１０から出射された光がポート２０２のレンズ２０６で平行ビームに変換される。この光は入出力反射面２０５−０で反射され、光学フィルタ２０４に入射する。この光が光学フィルタ２０４に入射すると、その入射角に応じた波長の光のみが光学フィルタ２０４を透過し、ポート２０３−１に到達し、レンズ２０７−１を介して光素子２１−１に集束する。光学フィルタ２０４を透過しない波長の光は光学フィルタ２０４により反射され、更に反射面２０５−１で反射される。反射面２０５−１が光学フィルタ２０４に対して傾斜しているため、反射面２０５−１で反射された光は入出力反射面２０５−０で反射された光とは異なる入射角で光学フィルタ２０４に入射する。この光が光学フィルタ２０４に入射すると、その入射角に応じた波長の光のみが光学フィルタ２０４を透過し、ポート２０３−２に到達し、レンズ２０７−２を介して光素子２１−２に集束する。このような反射及び透過の繰り返しにより、光素子２１−３及び光素子２１−４にも特定の波長の光が集束する。このようにして波長分波が行われる。
【００３２】
次に、第２の実施形態に係る波長合分波器２００の動作の他の一例について説明する。この一例では、光素子２１−１〜２１−ｍが発光素子であり、波長合分波器２００が波長合波を行う。この場合、光素子２１−１が発した特定の波長の光はポート２０３−１のレンズ２０７−１で平行ビームに変換される。この光は光学フィルタ２０４を透過し、入出力反射面２０５−０１で反射され、ポート２０２に到達する。光素子２１−２が発した特定の波長の光はポート２０３−２のレンズ２０７−２で平行ビームに変換される。この光は光学フィルタ２０４を透過し、反射面２０５−１で反射され、光学フィルタ２０４に入射する。波長及び入射角の関係上、この光は光学フィルタ２０４で反射され、更に入出力反射面２０５−０で反射され、ポート２０２に到達する。光素子２１−３が発した特定の波長の光及び光素子２１−４が発した特定の波長の光もこのような透過及び反射の繰り返しにより、ポート２０２に到達する。そして、これら４種の波長の光がレンズ２０６によって光ファイバ１０のコアに集束する。このようにして波長合波が行われる。
【００３３】
第２の実施形態によっても第１の実施形態と同様の効果を得ることができる。すなわち、設計の制限を緩和することができ、小型化が容易である。例えば、光素子２１−１〜２１−ｍの間隔及びポート２０３−１〜２０３−ｍの間隔を均一にすることができる。また、反射面２０５−０〜２０５−ｎの段差は樹脂成型等により高精度で形成することができる。
【００３４】
図９及び図１０に、第１の実施形態の具体例を示す。図９に示す第１の例は８波長λ１〜λ８の光信号に対応可能であり、図１０に示す第２の例は４波長λ１〜λ４の光信号に対応可能である。第１の例及び第２の例で、光素子のピッチが２５０μｍであり、光ファイバ１０とレンズ１０６との距離が６００μｍである。第１の例では、反射面１０５−１〜１０５−７の光学フィルタ１０４に対する傾斜角度θが１．５°であり、光ファイバ１０とレンズ１０６との光経路と光回路基板２０の送受信の面との距離が３５００μｍである。第２の例では、反射面１０５−１〜１０５−３の光学フィルタ１０４に対する傾斜角度θが２．５°であり、光ファイバ１０とレンズ１０６との光経路と光回路基板２０の送受信の面との距離が２５００μｍである。
【００３５】
（第３の実施形態）
次に、第３の実施形態について説明する。図１１は、第３の実施形態に係る波長合分波器の構成を示す斜視図であり、図１２は、第３の実施形態に係る波長合分波器の構成を示す断面図である。
【００３６】
第３の実施形態に係る波長合分波器３００には、図１１に示すように、反射部材３０１、反射部材３０１に設けられたポート３０２、及び反射部材３０１にポート３０２から離間して設けられたｍ個のポート３０３−１〜３０３−ｍが含まれる。例えば、ポート３０２にレンズ３０６が設けられており、ポート３０３−１〜３０３−ｍに４５°反射面３０７が形成されている。ｍは２以上の整数であり、第３の実施形態では４である。波長合分波器３００には、ポート３０２とポート３０３−１〜３０３−ｍとの間の光の経路上の光学フィルタ３０４も含まれる。光学フィルタ３０４を透過する光の波長は、青方偏移（ブルーシフト）により、入射角が大きいほど短い。反射部材３０１には、ポート３０２と光学フィルタ３０４との間で光を反射させる入出力反射面３０５−０、及び、光学フィルタ３０４に対して傾斜し、かつ光学フィルタ３０４からの距離が相違するｎ個の反射面３０５−１〜３０５−ｎが形成されている。ｎは１以上の整数であり、第３の実施形態では３である。
【００３７】
例えば、反射面３０５−１〜３０５−３の光学フィルタ３０４に対する傾斜角度は一定である。また、例えば、ポート３０２から離間するほど、反射面３０５−１〜３０５−３における反射点の光学フィルタ３０４からの距離が大きく、反射面３０５−１〜３０５−３における反射角が小さい。ポート３０３−１〜３０３−４の各々は、反射面３０５−０〜３０５−３の各々で反射される光の経路に位置する。反射部材３０１に、互いに積層されたクラッド層３０１ａ、コア層３０１ｂ及びクラッド層３０１ｃが含まれ、この積層体に溝が形成され、この溝内に光学フィルタ３０４は挿入されている。光学フィルタ３０４としては、例えば誘電体多層膜フィルタが用いられる。誘電体多層膜フィルタは波長に対して急峻な選択比を有する。第３の実施形態において、ポート３０２は第１のポートの一例であり、ポート３０３−１〜３０３−ｍは第２のポートの一例である。
【００３８】
第３の実施形態では、上記のように、反射部材３０１に、互いに積層されたクラッド層３０１ａ、コア層３０１ｂ及びクラッド層３０１ｃが含まれる。つまり、第１の実施形態及び第２の実施形態ではブロック状の透明材料が用いられるのに対し、第３の実施形態では、スラブ光導波路が用いられる。光はスラブ光導波路の面内方向に自由に伝搬できる。
【００３９】
第１の実施形態と同様に、ポート３０２に光ファイバが繋がれ、図１２に示すように、ポート３０３−１〜３０３−ｍに対向するようにして光回路基板２０が配置される。
【００４０】
第３の実施形態によっても第１の実施形態と同様の効果を得ることができる。反射面３０５−０〜３０５−ｎ及び４５°反射面３０７は、例えばクラッド層３０１ａ、コア層３０１ｂ及びクラッド層３０１ｃの積層体をエッチングすることにより形成することができる。クラッド層３０１ａ、コア層３０１ｂ及びクラッド層３０１ｃが感光性材料から構成されている場合には、マスク露光及び現像を行うことにより反射面３０５−０〜３０５−ｎを形成することもできる。
【００４１】
第１の実施形態のように、ポート３０２から離間するほど、反射面３０５−１〜３０５−３における反射点の光学フィルタ３０４からの距離が小さく、反射面３０５−１〜３０５−３における反射角が大きくてもよい。
【００４２】
いずれの実施形態によっても、波長多重変調通信（ＷＤＭ）に好適な波長合分波器において、部品点数の削減及び小型化を実現することができる。ひいては、ＷＤＭ光モジュールの小型化を実現することができる。また、これら波長合分波器の設計の自由度が広いため、光回路基板の光素子の位置及びピッチ等の設計の自由度も広く確保することができ、光回路基板の面積を効率的に利用できる。これら波長合分波器を光回路基板に載せることで波長分割多重化できるため、光回路基板に特殊な回路は必要とされない。例えば、これら波長合分波器を搭載したＷＤＭ伝送モジュール、及び波長合分波器を搭載しないパラレル伝送モジュールを同一の光回路基板で作り分けることも可能である。
【００４３】
以下、本発明の諸態様を付記としてまとめて記載する。
【００４４】
（付記１）
反射部材と、
前記反射部材に設けられた第１のポートと、
前記反射部材に前記第１のポートから離間して設けられた複数の第２のポートと、
前記第１のポートと前記複数の第２のポートとの間の光の経路上の光学フィルタと、
を有し、
前記反射部材に前記光学フィルタに対して傾斜した複数の反射面が形成され、
前記複数の反射面における反射点の前記光学フィルタからの距離は、当該反射面における反射角が大きいものほど小さく、
前記複数の第２のポートの各々は、前記複数の反射面の各々で反射される光の経路に位置することを特徴とする波長合分波器。
【００４５】
（付記２）
前記複数の反射面の前記光学フィルタに対する傾斜角度は一定であることを特徴とする付記１に記載の波長合分波器。
【００４６】
（付記３）
前記第１のポートから離間するほど、
前記複数の反射面における反射点の前記光学フィルタからの距離が小さく、
前記複数の反射面における反射角が大きいことを特徴とする付記１又は２に記載の波長合分波器。
【００４７】
（付記４）
前記第１のポートから離間するほど、
前記複数の反射面における反射点の前記光学フィルタからの距離が大きく、
前記複数の反射面における反射角が小さいことを特徴とする付記１又は２に記載の波長合分波器。
【００４８】
（付記５）
前記反射部材は、前記光の経路を構成するブロック状の透明材料を含むことを特徴とする付記１乃至４のいずれかに記載の波長合分波器。
【００４９】
（付記６）
前記反射部材は、前記光の経路を構成するスラブ光導波路を含むことを特徴とする付記１乃至４のいずれかに記載の波長合分波器。
【００５０】
（付記７）
付記１乃至６のいずれか１項に記載の波長合分波器と、
前記複数の第２のポートとの間で光信号の送受信を行う複数の光素子を備えた光回路基板と、
を有することを特徴とする光モジュール。
【符号の説明】
【００５１】
１０：光ファイバ
２０：光回路基板
２１−１〜２１−ｍ：光素子
１００、２００、３００：波長合分波器
１０１、２０１：反射部材
１０２、２０２、３０２：ポート
１０３−１〜１０３−ｍ、２０３−１〜２０３−ｍ、３０３−１〜３０３−ｍ：ポート
１０４、２０４、３０４：光学フィルタ
１０５−１〜１０５−ｎ、２０５−１〜２０５−ｎ、３０５−１〜３０５−ｎ：反射面
【図１】
2017090766.tif 000003
【図２】
2017090766.tif 000004
【図３】
2017090766.tif 000005
【図４】
2017090766.tif 000006
【図５】
2017090766.tif 000007
【図６】
2017090766.tif 000008
【図７】
2017090766.tif 000009
【図８】
2017090766.tif 000010
【図９】
2017090766.tif 000011
【図１０】
2017090766.tif 000012
【図１１】
2017090766.tif 000013
【図１２】
2017090766.tif 000014